(57)【特許請求の範囲】
【請求項１】
少なくとも下腿部を覆うレッグウェアであって、
前記下腿部の内側を側面視した際の面における脛骨上端から、脛骨および腓骨の前方、脛骨および腓骨の後方を順に通り、前記下腿部の内側を側面視した際の面における脛骨下端に至るように形成されている帯状の第１下腿緊締部と、
前記下腿部の外側を側面視した際の面における腓骨上端より、脛骨のおよび腓骨の前方、脛骨および腓骨の後方を順に通り、前記下腿部の外側を側面視した際の面における腓骨下端に至るように形成されている、帯状の第２下腿緊締部と、を備えていることを特徴とするレッグウェア。
【請求項２】
前記第１下腿緊締部の緊締力は、前記第２下腿緊締部の緊締力よりも強いことを特徴とする請求項１に記載のレッグウェア。
【請求項３】
少なくとも下腿部を覆うレッグウェアであって、
前記下腿部の外側を側面視した際の面における腓骨上端から、脛骨および腓骨の前方、脛骨および腓骨の後方を順に通り、前記下腿部の外側を側面視した際の面における腓骨下端に至るように形成されている帯状の第１下腿緊締部と、
前記下腿部の内側を側面視した際の面における脛骨上端より、脛骨のおよび腓骨の前方、脛骨および腓骨の後方を順に通り、下腿部の内側を側面視した際の面における脛骨下端に至るように形成されている、帯状の第２下腿緊締部と、を備えていることを特徴とするレッグウェア。
【請求項４】
前記第１下腿緊締部の緊締力は、前記第２下腿緊締部の緊締力よりも強いことを特徴とする請求項３に記載のレッグウェア。
【請求項５】
前記第１下腿緊締部と前記第２下腿緊締部とは、脛骨および腓骨の前方において下腿部の幅方向の中央部で交差し、脛骨および腓骨の後方において下腿部の幅方向の中央部で交差することを特徴とする請求項２または４に記載のレッグウェア。
【請求項６】
前記第１下腿緊締部が、膝蓋骨の周囲を囲むように形成されている膝関節緊締部に接続されていることを特徴とする請求項１から５のいずれか１項に記載のレッグウェア。
【請求項７】
前記レッグウェアは、さらに大腿部を覆い、
薄筋の筋方向沿いに緊締力を有し、前記膝関節緊締部に接続されている薄筋緊締部と、
ハムストリングスの筋方向沿いに緊締力を有し、前記膝関節緊締部に接続されているハムストリングス緊締部と、のうち、少なくとも一つを備えていることを特徴とする請求項６に記載のレッグウェア。
【請求項８】
縫工筋の筋方向沿いに緊締力を有する縫工筋緊締部を備え、
前記縫工筋緊締部は、前記薄筋緊締部および前記ハムストリングス緊締部のどちらか一方、または両方に接続されていることを特徴とする請求項７に記載のレッグウェア。
【請求項９】
内側広筋の筋線維の走行方向に交差する方向に緊締力を有する内側広筋緊締部を備えることを特徴とする請求項１から８のいずれか１項に記載のレッグウェア。
【請求項１０】
前記各緊締部は他の領域よりも度目が小さいことを特徴とする請求項１から９のいずれか１項に記載のレッグウェア。
【発明の詳細な説明】
【技術分野】
【０００１】
本発明は、特に膝の動揺を抑えるためのレッグウェアに関し、より詳細には、Ｏ脚の抑制およびスポーツのサポート等に有用なレッグウェアに関するものである。
【背景技術】
【０００２】
高齢女性において、Ｏ脚変形を原因とする膝の痛みを持つ人が多く、問題となっている。そこで、従来、膝を内側に誘導するための技術が提案されている。
【０００３】
例えば、特許文献１には、内反変形の矯正を図るための膝関節を取巻く筒状の膝サポータが提案されている。このサポータは、本体部を装着した状態で、腓骨小頭部を脚内側に向わせる向きに締付け力を与える帯状部を備えている。これにより、外側にずれた腓骨小頭部を内方へ押圧し、内反変形の矯正を図っている。
【０００４】
また、特許文献２および特許文献３では、膝を内側に向けやすくする腰部から大腿部の上部までを被覆する股付衣類が提案されている。特許文献２に記載されている股付衣類は、腰部から大腿部の上部までを被覆する本体部と、本体部よりも緊締力が強い大内転筋が位置する部位を覆う大内転筋サポート部と、大腿部の脇側を覆い大内転筋サポート部に一部が隣接する非伸縮性の脇側当て布部とを備えている。特許文献２に記載されている股付衣類は、大内転筋サポート部が大腿部に密着した状態で大内転筋に沿って伸縮する。
【０００５】
特許文献３に記載されている股付衣類は、腰部から大腿部の上部までを被覆する本体部と、本体部より緊締力が強い大内転筋が位置する部位を覆うサポートライン部とを備えている。サポートライン部は、大腿骨の長手方向の前側ラインよりも外側に対応する位置から、大腿部の後側であり臀溝の内側端よりも外側に対応する位置までを、らせん状に連なっている。これにより、着用者の動きに合わせて皮膚が大きく伸長する太腿の内側に対応する部分には、サポートライン部により緊締力が生じる。
【先行技術文献】
【特許文献】
【０００６】
【特許文献１】特開２０１０−２４００２２号公報（２０１０年１０月２８日公開）
【特許文献２】特開２００４−３００６１９号公報（２００４年１０月２８日公開）
【特許文献３】国際公開第２００４／０９６１０５号（２００４年１１月１１日公開）
【発明の概要】
【発明が解決しようとする課題】
【０００７】
しかしながら、上述の従来技術のような直接膝を内側に誘導する方法、または大腿部をサポートすることにより膝を内側に誘導する方法において、十分な効果を出すためには締め付け力を高める必要がある。そのため、過剰な締め付けによる痛みや不快感が発生するという問題がある。また、薄い生地のみでは十分な締め付け力を確保できず、十分な効果を得られるように締め付け力を高めるためには、生地の張り合わせ等が必要となり、美観を損ねてしまうという問題がある。
【０００８】
本発明は、前記の問題点に鑑みてなされたものであり、その目的は、過剰な着圧および締め付けをしないで、膝が動揺し、過剰に回旋することを制動することができるレッグウェアを提供することにある。
【課題を解決するための手段】
【０００９】
上記の課題を解決するために、本発明に係るレッグウェアは、少なくとも下腿部を覆うレッグウェアであって、脛骨上端または腓骨上端の第１側面から、脛骨および腓骨の前面、脛骨および腓骨の後面を順に通り、脛骨下端または腓骨下端の第２側面に至るように形成されている帯状の第１下腿緊締部を備え、前記第１側面が脛骨上端の内側側面である場合、前記第２側面は脛骨下端の内側側面であり、前記第１側面が腓骨上端の外側側面である場合、前記第２側面は腓骨下端の外側側面であることを特徴とする。
【００１０】
上記構成によれば、下腿部が内旋または外旋するように、下腿部が第１下腿緊締部に引っ張られる。これにより、膝関節の内反モーメントまたは外反モーメントを抑え、膝の動揺を制動することができる。その結果、過剰な着圧、締め付をしないで、膝が動揺し、過剰に回旋することを制動するこができ、膝の痛みを軽減させることができる。
【００１１】
また、本発明に係るレッグウェアは、前記第１下腿緊締部において、前記第１側面が脛骨上端の内側側面であり、前記第２側面が脛骨下端の内側側面であることが好ましい。
【００１２】
上記構成によれば、下腿部が内旋するように、膝の内側から外側に向けて下腿部が第１下腿緊締部に引っ張られる。これにより、膝関節の内反モーメントを抑え、膝の動揺を制動することができる。その結果、過剰な着圧、締め付をしないで、膝が外旋するのを制動するこができ、膝の痛みを軽減させることができる。
【００１３】
また、本発明に係るレッグウェアは、腓骨上端の外側側面より、脛骨のおよび腓骨の前面、脛骨および腓骨の後面を順に通り、腓骨下端の外側側面に至るように形成されている、帯状の第２下腿緊締部を備え、前記第１下腿緊締部の緊締力は、前記第２下腿緊締部の緊締力よりも強いことが好ましい。
【００１４】
上記構成によれば、第２下腿緊締部が、第１下腿緊締部よりも弱い力で下腿部を外旋方向に誘導するので、第１下腿緊締部が下腿部を内旋し過ぎるのを抑制することができる。
【００１５】
また、本発明に係るレッグウェアは、前記第１下腿緊締部において、前記第１側面が腓骨上端の外側側面であり、前記第２側面が腓骨下端の外側側面であることが好ましい。
【００１６】
上記構成によれば、下腿部が外旋するように、膝の外側から内側に向けて下腿部が第１下腿緊締部に引っ張られる。これにより、膝関節の外反モーメントを抑え、膝の動揺を制動することができる。その結果、過剰な着圧、締め付をしないで、膝が内旋するのを制動することができる。
【００１７】
また、本発明に係るレッグウェアは、脛骨上端の内側側面より、脛骨および腓骨の前面、脛骨および腓骨の後面を順に通り、脛骨下端の内側側面に至るように形成されている、帯状の第２下腿緊締部を備え、前記第１下腿緊締部の緊締力は、前記第２下腿緊締部の緊締力よりも強いことが好ましい。
【００１８】
上記構成によれば、第２下腿緊締部が、第１下腿緊締部よりも弱い力で下腿部を内旋方向に誘導するので、第１下腿緊締部が下腿部を外旋し過ぎるのを抑制することができる。
【００１９】
また、本発明に係るレッグウェアは、前記第１下腿緊締部の幅は、前記第２下腿緊締部の幅よりも広いことが好ましい。
【００２０】
上記構成によれば、緊締部の帯の幅を広くすることで第１下腿緊締部の緊締力を第２下腿緊締部の緊締力よりも強くすることができる。
【００２１】
また、本発明に係るレッグウェアは、前記第１下腿緊締部と前記第２下腿緊締部とは、脛骨および腓骨の前面において下腿部の幅方向の中央部で交差し、脛骨および腓骨の後面において下腿部の幅方向の中央部で交差することが好ましい。
【００２２】
上記構成によれば、下腿部をバランスよく内旋することができる。
【００２３】
また、本発明に係るレッグウェアは、前記第１下腿緊締部が、膝蓋骨の周囲を囲むように形成されている膝関節緊締部に接続されていることが好ましい。
【００２４】
上記構成によれば、膝関節緊締部は膝関節の周囲を囲むように形成されているため、膝関節の動揺を制動することができる。また、第１下腿緊締部が膝関節緊締部に接続されていることで、膝関節の内旋による内反モーメント抑制効果を高めることができる。
【００２５】
また、本発明に係るレッグウェアは、前記レッグウェアは、さらに大腿部を覆い、薄筋の筋方向沿いに緊締力を有し、前記膝関節緊締部に接続されている薄筋緊締部と、ハムストリングスの筋方向沿いに緊締力を有し、前記膝関節緊締部に接続されているハムストリングス緊締部と、のうち、少なくとも一つを備えていることが好ましい。
【００２６】
上記構成によれば、膝関節を支える筋肉をサポートすることができるので、膝関節の動揺を制動することができる。
【００２７】
また、本発明に係るレッグウェアは、縫工筋の筋方向沿いに緊締力を有する縫工筋緊締部を備え、前記縫工筋緊締部は、前記薄筋緊締部および前記ハムストリングス緊締部のどちらか一方、または両方に接続されていることが好ましい。
【００２８】
上記構成によれば、膝関節を支える筋肉をサポートすることができるので、膝関節の動揺を制動することができる。
【００２９】
また、本発明に係るレッグウェアは、内側広筋の筋線維の走行方向に交差する方向に緊締力を有する内側広筋緊締部を備えることが好ましい。
【００３０】
上記構成によれば、内側広筋に適度な刺激を与えることができるので、筋出力が高まり、膝関節を支える力を増すことができる。
【００３１】
また、本発明に係るレッグウェアは、前記各緊締部は他の領域よりも度目が小さいことが好ましい。
【００３２】
上記構成によれば、各緊締部の度目を他の領域の度目よりも小さくすることにより伸縮性を抑えることができるので、緊締力を強めるために他の材料を必要としない。そのため、例えば、他の材料を貼り合わせて緊締力を強めた場合と比較して、履き心地の良さを向上させることができる。
【００３３】
また、本発明に係るレッグウェアは、前記レッグウェアは全体的に基材層により構成され、前記各緊締部は、前記基材層の内面側に、前記各緊締部以外の領域よりも緊締力の高い素材を積層して形成することが好ましい。
【００３４】
上記構成によれば、美観を損ねずに各緊締部を設けることができる。
【発明の効果】
【００３５】
本発明は、過剰な着圧および締め付けをしないで、膝が動揺し、過剰に回旋することを制動することができる効果を奏する。
【図面の簡単な説明】
【００３６】
【図１】実施形態１に係るスパッツの左足緊締部１０のみを取り出した場合の正面図である。
【図２】（ａ）〜（ｄ）は、上記スパッツを装着した状態を表す図である。
【図３】（ａ）〜（ｄ）は、Ｏ脚により生じる膝の痛みを説明するための図である。
【図４】（ａ）〜（ｄ）内反モーメントを説明するための図である。
【図５】（ａ）〜（ｃ）は、上記スパッツを装着することよる効果について説明するための図である。
【図６】（ａ）〜（ｃ）は、実施例の試験の測定箇所を説明するための図である。
【図７】（ａ）は実施例の内外旋角度の試験結果を示すグラフであり、（ｂ）は実施例の内外旋角度の試験結果を示す表である。
【図８】（ａ）は実施例の内反モーメントの試験結果を示すグラフであり、（ｂ）は実施例の内反モーメントの試験結果を示す表である。
【図９】内外旋角度を説明するための図である。
【図１０】（ａ）〜（ｅ）は、本発明に係るスパッツの外観を示す図面である。特に、（ａ）は、上記スパッツの平面図であり、（ｂ）は、上記スパッツの正面図であり、（ｃ）は、上記スパッツの外側（左側）の側面図であり、（ｄ）は、上記スパッツの背面図であり、（ｅ）は、上記スパッツの底面図である。
【図１１】（ａ）〜（ｅ）は、本発明に係るスパッツの外観を示す図面代用写真である。特に、（ａ）は、上記スパッツの平面を示す図面代用写真であり、（ｂ）は、上記スパッツの正面を示す図面代用写真であり、（ｃ）は、上記スパッツの背面を示す図面代用写真であり、（ｄ）は、上記スパッツの外側（左側）側面を示す図面代用写真であり、（ｅ）は、上記スパッツの底面を示す図面代用写真である。
【図１２】実施形態２に係るスパッツの左足緊締部１０ａのみを取り出した場合の正面図である。
【図１３】（ａ）は脚の骨を説明する図であり、（ｂ）は脚の筋肉を説明する図である。
【発明を実施するための形態】
【００３７】
（実施形態１）
本発明の実施の一形態について、図１〜図５に基づいて説明すれば以下のとおりである。本実施形態では、本発明に係るレッグウェアをスパッツに適用した場合を例にして説明する。ただし、本発明は、スパッツに限られず、タイツ、筒状のサポータ、丈の長い靴下、その他各種のレッグウェアにも好適に適用することが可能である。
【００３８】
（変形性膝関節症における痛みの発症について）
まず、変形性膝関節症における痛みの発症について図３および図１３の（ａ）に基づき説明する。図３は、Ｏ脚変形により生じる膝の痛みを説明するための図である。図１３の（ａ）は脚の骨を説明する図である。
図３の（ａ）はＯ脚状態の脚を示す図であり、図３の（ｂ）〜図３の（ｄ）は図３の（ａ）の膝関節の部分拡大図である。図３の（ｂ）は正常な膝関節の状態を示し、図３の（ｃ）は変形性膝関節症の初期〜中期の状態を示し、図３の（ｄ）は変形性膝関節症の進行期の状態を示す。
【００３９】
一般的に日本人には、図３の（ａ）で示すような内反膝のＯ脚が多い。Ｏ脚変形の状態が続くと変形性膝関節症が発症し、関節炎や変形を生じて膝の痛みなどが起こる。
【００４０】
具体的には、正常の膝関節では、図３の（ｂ）に示すように、関節の脛骨２２や大腿骨２０の表面は弾力性に富んだ組織からなる軟骨４０で覆われ、関節の動きを滑らかにしている。
【００４１】
しかし、Ｏ脚の状態が続くと、膝関節の軟骨４０がすり減り、脛骨２２や大腿骨２０の間隔が狭くなる。図３の（ｃ）で示すように、軟骨４０の磨耗がある程度すすむと、膝の曲げ伸ばしや立ち上がり、歩行時の膝にかかる負担の増加、および軟骨４０、半月板の変性による刺激により関節炎が生じる。関節炎は、膝を曲げ伸ばししたときの痛みや曲げ伸ばしの制限の原因となる。
【００４２】
さらに、変形性膝関節症が進み、図３の（ｄ）で示すように、軟骨４０の磨耗が進行すると、軟骨４０の下骨が露出したり骨棘４１そのものの変形が生じたりする。この状態では、膝を動かしたり立って歩いたりするたびに硬い骨同士が直接ぶつかり合うため強い痛みを生じ、膝の曲げ伸ばしの制限も高度となる。
【００４３】
次に、図４に基づき、内反モーメントについて説明する。図４は内反モーメントを説明するための図であり、図４の（ａ）および図４の（ｂ）は、正常な脚の状態を示し、図４の（ｃ）および図４の（ｄ）は、Ｏ脚変形の脚の状態を示す。
【００４４】
内反モーメントとは、膝関節回転中心から床反力作用線までの距離により生じる膝関節３１を内反させる力の量である。床反力作用線は、図４の（ｃ）において片矢印で示され、足の重心（足の接地点の真ん中）から体の重心Ｚ（臍のあたり）を結ぶ線である。膝関節回転中心は、膝関節３１である。膝関節回転中心から床反力作用線までの距離は、図４の（ｃ）において両矢印で示されている距離である。言い換えると、内反モーメントとは、膝が外側に向かおうとするモーメントである。内反モーメントが大きくなるとＯ脚変形が生じる。
【００４５】
図４の（ａ）に示すように、股関節３０と膝関節３１との間には大腿骨２０が配置されており、膝関節３１と足関節３２との間には内側に脛骨２２、外側に腓骨２１が配置されている。正常な脚の状態では、図４の（ｂ）に示すように、直立している状態で、股関節３０、膝関節３１、および足関節３２が直線上に並ぶ。そのため、膝関節３１および足関節３２に直線的に体重が加重されるため（図４の（ｂ）の矢印Ａ）、膝関節３１に回転力が掛からない。
【００４６】
それに対して、図４の（ｃ）に示すようなＯ脚変形の状態では、図４の（ｄ）に示すように、直立している状態で、股関節３０が、膝関節３１および足関節３２を結ぶ直線よりも内側に位置する。そのため、膝関節３１および足関節３２の内側に体重が加重されるため（図４の（ｄ）の矢印Ａ）、膝関節３１に膝が外側に向かおうとする回転力、すなわち内反モーメント（図４の（ｄ）の矢印Ｂ）がかかる。
【００４７】
このような、膝関節３１の内側からの加重が変形性膝関節症の原因の９割以上であり、内反モーメントが増加すれば膝関節３１の痛みも増加する。したがって、変形性膝関節症に起因する膝の痛みを軽減させるには、内反モーメントを抑制することが有効である。スパッツ１００は、内反モーメントを、下腿部を内旋させることにより抑制することができる。
【００４８】
（スパッツ１００の概略構成）
図１は、本発明の実施形態１に係る左足緊締部１０のみを取り出した場合の正面図である。図２は、スパッツ１００を装着した状態を表す図である。図２の（ａ）は正面図であり、図２の（ｂ）は内側側面図であり、図２の（ｃ）は背面図であり、図２の（ｄ）は外側面図である。なお、図２において、右足の各緊締部は図示を省略している。また、本実施形態では、立位の状態において、使用者の頭頂部が位置する方向を「上」と称し、使用者の足裏が位置する方向を「下」と称する。
【００４９】
スパッツ１００は、図１および図２に示すように、本体部１０１、緊締部１０２および緊締部１０を備えている。本発明においては、本体部１０１は編機によって編成しているが、織機により織成した生地を縫着することによっても形成可能である。
【００５０】
本体部１０１は、図２に示すように、下腿部、大腿部および腰部を覆う。言い換えると本体部１０１は、腰部から下腿部の脛骨下端までを被覆する。下腿部は膝から足首までの部分を示す。本体部１０１には、本体部１０１より緊締力が強い緊締部１０、および緊締部１０２が一体的に設けられている。緊締力とは引っ張る力を示し、本体部１０１より緊締力が強いとは、本体部１０１（他の領域）よりも各緊締部の方が、伸縮性が低いことを示す。また、各緊締部の緊締力は、長手方向に引っ張る力を有する。これにより、各緊締部では、テーピング効果を生じさせることができる。
【００５１】
緊締部１０、および緊締部１０２は、例えば、本体部１０１において度目（編目）調整を行う、糸の種類を変更する、素材を異ならせる、または生地を貼り合せるなどによって形成することができる。具体的には、例えば本実施形態では、緊締部１０は、本体部１０１と同じ糸を使い、度目の大きさを小さくすることで伸縮性を低めている。これにより、緊締部１０に本体部１０１と違う糸を使用する場合に生じる糸の切り替え部を形成することなく緊締部１０を形成することができる。そのため、糸の切り替え箇所の端末（段差）がなくなり、肌に切り替え部の跡がつくなどの肌への影響がなく、長時間着用でも違和感のない生地感となる。
【００５２】
また、各緊締部を設ける他の方法としては、タック編みなどにより編目構造を変化させることや、低伸縮糸の挿入、樹脂などの塗布などによって伸縮性を低くすることも可能である。具体的には、例えば、生地を貼り合せて緊締力を強める場合、各緊締部はスパッツ１００を全体的に構成する本体部１０１（基材層）の内面側（肌側）に、各緊締部以外の領域よりも緊締力の高い素材を積層して形成することができる。特に、低伸縮糸の挿入や樹脂をスパッツ１００の内側に塗布する場合は、美観を損ねずに各緊締部を設けることができる。
【００５３】
本体部１０１は、スパッツ１００の着用時に、使用者がスパッツ１００の前後を目視で認識することができる目印がついている（図示なし）。これにより、スパッツ１００を適切な位置に着用することが容易となる。
【００５４】
スパッツ１００は、伸縮性を有する素材により構成されている。例えば、スパッツ１００は、表糸素材にウォーフィル（旭化成せんい株式会社登録商標、組成：キュプラ５０％、ポリエステル５０％）を使用してもよい。キュプラを使用することにより柔らかく、肌触りがよくなる。また、糸にふくらみを持たせ空気を多く含むフィラメントを用いて表面を滑らかにすることにより、風合いが柔らかくなり、肌触りがよくなる。また、フィラメントの表面が滑らかであるため、静電気が起こりにくくなる。スパッツ１００は、用途に合わせ、部分的に通気性のよい素材を用いてもよい。
【００５５】
本体部１０１と各緊締部とは同じ色、同じ素材であることが望ましい。これにより、日常履くスパッツに近い見た目のままで、膝の痛み軽減することができる。
【００５６】
本体部１０１の厚さは、約０．０２ｍｍ〜０．０３ｍｍとすることができる。後述する緊締部１０の構成により、過剰な着圧および締め付けをしないで、薄い生地でも内反モーメントを抑制させる効果を奏することができるので、履き心地を悪化させずにスパッツ１００を提供することができる。
【００５７】
緊締部１０２は、下側が楕円となる半円状であり、スパッツ１００を装着した状態で下腹部を覆う位置に形成され、下腹部を抑える。
【００５８】
（緊締部１０）
緊締部１０は、図１および図２に示すように、第１下腿緊締部１、第２下腿緊締部２、膝関節緊締部３、縫工筋緊締部４、薄筋緊締部５、ハムストリングス緊締部６、および内側広筋緊締部７を備えている。
【００５９】
（第１下腿緊締部１）
第１下腿緊締部１は帯状であり、脛骨上端または腓骨上端の第１側面から、脛骨および腓骨の前面、脛骨および腓骨の後面を順に通り、脛骨下端または腓骨下端の第２側面に至るように形成されており、前記第１側面が脛骨上端の内側側面である場合、前記第２側面は脛骨下端の内側側面であり、前記第１側面が腓骨上端の外側側面である場合、前記第２側面は腓骨下端の外側側面である。
【００６０】
具体的には、第１下腿緊締部１は、スパッツ１００を装着した状態で、図１および図２に示すように、脛骨上端の内側側面より、脛骨および腓骨の前面、脛骨および腓骨の後面を順に通り、脛骨下端の内側側面に至るように形成されている。言い換えると、第１下腿緊締部１は、膝蓋骨付近の下腿上端内側から、脛部、脹脛を経由し、内踝付近の下腿下端の内側に至る、らせん状に形成されている。第１下腿緊締部１は、下腿部を上記のルートで周回することで、下腿部を内旋させて膝を内側に誘導する。下腿部の内旋とは下腿部（膝から足首）が内方向に回旋することである。
【００６１】
体は骨連動により、任意の骨の角度を変えると、他の骨も連動してアライメントが変わる。例えば、足裏のアーチが崩れてくると、それに連動して、足首、膝、腰まで骨がずれ、将来的には痛みなどが生じる。
【００６２】
スパッツ１００は第１下腿緊締部１により、下腿部を内旋させる。これにより、Ｏ脚を閉じる方向に骨のアライメントが変更される骨連動が生じる。言い換えると、第１下腿緊締部１により、膝が外側に向くような骨連動を防止することができる。
【００６３】
第１下腿緊締部１は、下腿部を１周するように形成されることが望ましい。第１下腿緊締部１が下腿部を１周以上周回するように形成されると、第１下腿緊締部１と地面との角度が小さくなり、縦方向への引っ張りが弱くなる。また、第１下腿緊締部１の下腿部の周回が１周以下であると、地面との角度が大きくなり、縦方向ばかりの引っ張りになる。第１下腿緊締部１の幅は、例えば約１．５ｃｍ〜４.０ｃｍとすることができる。第１下腿緊締部１および第２下腿緊締部２の幅は、足の太さに合わせ、足先にいくほど細くなる。
【００６４】
また、第１下腿緊締部１の脛骨上端の内側側面を始点とし、脛骨下端の内側側面を終点とすると、始点は、下腿部の内側を側面視した際の半面において、少なくとも脛骨上端の内側側面の中央、好ましくは脛骨上端の内側側面の中央より後側にあることが望ましい。また、終点は、下腿部の内側を側面視した際の半面において、少なくとも脛骨下端の内側側面の中央、好ましくは脛骨下端の内側側面の中央より前側にあることが望ましい。このような設計とすることにより下腿部を効果的に内旋させることができる。
【００６５】
（第２下腿緊締部２）
第２下腿緊締部２は、帯状であり、スパッツ１００を装着した状態で、腓骨上端の外側側面より、脛骨のおよび腓骨の前面、脛骨および腓骨の後面を順に通り、腓骨下端の外側側面に至るように形成されている。また、第１下腿緊締部１の緊締力は、第２下腿緊締部２の緊締力よりも強い。下腿部が内旋し過ぎると、Ｘ脚を助長するおそれがある。そこで、第２下腿緊締部を配置することにより、第１下腿緊締部１よりも弱い力で下腿部を外旋方向に誘導する。これにより、第１下腿緊締部が下腿部を内旋し過ぎるのを抑制することができる。
【００６６】
また、第１下腿緊締部１の幅を、第２下腿緊締部２の幅よりも広くすることで、第２下腿緊締部２よりも第１下腿緊締部１の緊締力を強くしてもよい。具体的には、第１下腿緊締部１の単位面積当たりの緊締力と第２下腿緊締部２の単位面積当たりの緊締力とを同じにし、第１下腿緊締部１の幅を、第２下腿緊締部２の幅よりも広くすることで、第１下腿緊締部１全体の緊締力を、第２下腿緊締部２全体の緊締力よりも強くすることができる。また、幅を広くする方法以外に、糸の種類、生地の貼り合わせ等により単位面積当たりの緊締力を強くしてもよい。あるいは、幅を広くしたうえで、単位面積当たりの緊締力を強くしてもよい。第１下腿緊締部１と第２下腿緊締部２との緊締力の差は、個人のＯ脚の度合い等に合わせて適宜設定することが望ましい。
【００６７】
第１下腿緊締部１と第２下腿緊締部２とは、脛骨および腓骨の前面において下腿部の幅方向の中央部で交差し、脛骨および腓骨の後面において下腿部の幅方向の中央部で交差することが望ましい。これにより、ねじれのバランスが取れ、下腿部をバランスよく内旋することができる。第２下腿緊締部２の幅は、例えば約１．５ｃｍ〜３.０ｃｍとすることができる。
【００６８】
（膝関節緊締部３）
膝関節緊締部３は、スパッツ１００を装着した状態で、膝蓋骨２３（図１３の（ａ）参照）を周設するように形成されている。言い換えると、膝関節緊締部３は膝蓋骨の周囲を囲むように形成されている。膝関節緊締部３の下部には第１下腿緊締部１および第２下腿緊締部２が接続されている。また、膝関節緊締部３の上部には、薄筋緊締部５、ハムストリングス緊締部６、および内側広筋緊締部７が接続されている。
【００６９】
膝関節緊締部３は膝関節に周設されているため、膝関節の動揺を制動（動きを抑制）することができる。また、第１下腿緊締部１が膝関節緊締部３に接続されていることで、第１下腿緊締部１が膝関節緊締部３を引っ張るので膝関節の内旋による内反モーメント抑制効果を高めることができる。膝関節緊締部３の幅は、例えば上部は約４.０ｃｍ、下部は約３．０ｃｍとすることができる。
【００７０】
（縫工筋緊締部４、薄筋緊締部５、およびハムストリングス緊締部６）
膝関節の動揺を効果的に軽減するためには、膝そのものの動きや回旋を直接的に制動する方法に加え、膝関節と繋がる筋肉の余分な動きを制動することが有効である。図１３の（ｂ）は、脚の筋肉を説明する図である。本実施形態では、膝関節と繋がる筋肉として、特に、図１３の（ｂ）に示す、縫工筋５１、薄筋５２、大腿二頭筋等を含むハムストリングス５３、内側広筋５４に着目し、スパッツ１００は、これらの筋肉の安定的な動きをサポートできるよう緊締部を配置している。
【００７１】
縫工筋緊締部４は、スパッツ１００を装着した状態で、縫工筋５１の筋方向沿いに緊締力を有するように形成されている。具体的には、縫工筋緊締部４は、縫工筋５１の筋方向に沿って大腿部の周囲にらせん状に配置されている。言い換えると、縫工筋緊締部４は、大腿骨の内側側面より大腿骨の前面、大腿骨の後面を順に通り、大腿骨の内側側面に至るように配置されている。縫工筋緊締部４の幅は、例えば約３．５〜５.０ｃｍとすることができる。縫工筋緊締部４の幅は下部から上部に行くほど広くなる。これにより、縫工筋緊締部４が安定するので、縫工筋緊締部４および縫工筋緊締部４に接続されている各緊締部の位置ずれを防ぐことができる。
【００７２】
薄筋緊締部５は、スパッツ１００を装着した状態で、薄筋５２の筋方向沿いに緊締力を有するように形成されており、下端部が膝関節緊締部３の上部に接続され、上端部が縫工筋緊締部４に接続されている。言い換えると、薄筋緊締部５は、大腿骨の後面において、脛骨上端の内側側面から縫工筋緊締部４に至るように配置されている。薄筋緊締部５の下端は、膝関節の内側にある膝関節の回旋を制動する筋群である鵞足部５５で膝関節緊締部３の上部に接続されている。これにより、膝関節の回旋を制動する筋群をサポートすることができるので、膝関節および筋の動揺を制動することができる。薄筋緊締部５の幅は、例えば約２．５ｃｍとすることができる。
【００７３】
ハムストリングス緊締部６は、スパッツ１００を装着した状態で、ハムストリングス５３の筋方向沿いに緊締力を有するように形成されている。ハムストリングスは主に膝関節の屈曲に加え、膝関節の回旋に作用する筋肉である。言い換えると、ハムストリングス緊締部６は、大腿骨の外側側面において、脛骨上端の外側側面から大腿骨の後面に向けて弧を描くように縫工筋緊締部４に至るように配置されている。ハムストリングス緊締部６は、下端部が膝関節緊締部３の上部に接続され、上端部が縫工筋緊締部４に接続されている。ハムストリングス緊締部６の幅は、例えば約４．０ｃｍとすることができる。
【００７４】
縫工筋緊締部４、薄筋緊締部５およびハムストリングス緊締部６を形成することで、膝関節を支える筋肉をサポートすることができるので、膝関節および筋の動揺を制動することができる。
【００７５】
なお、薄筋緊締部５およびハムストリングス緊締部６は、少なくともどちらか一方が備えられていてもよく、縫工筋緊締部４は、薄筋緊締部５およびハムストリングス緊締部６のどちらか一方、または両方に接続されていてもよい。
【００７６】
（内側広筋緊締部７）
内側広筋緊締部７は、スパッツ１００を装着した状態で、内側広筋５４の筋線維の走行方向に交差する方向に緊締力を有するように形成されている。筋線維とは、筋肉を構成する細胞のことであり、筋線維は特定の向きに並んでおり、この筋線維が並ぶ向きを走行方向と呼ぶ。また、筋は、筋線維の走行方向に伸縮する。内側広筋緊締部７の長手方向と、内側広筋の筋線維の走行方向が交差することで、緊締力が内側広筋の筋線維の走行方向に交差する方向に作用する。筋を、筋線維の走行方向に交差する方向に緊締すると、筋が刺激を受け、筋出力が高められる。内側広筋緊締部７は、スパッツ１００を装着した状態で、内側広筋５４の筋線維の走行方向に直交する緊締力を有するように形成されていることが望ましいが、交差角度は９０度に限らない。内側広筋緊締部７は、大腿部の前面において、薄筋緊締部５およびハムストリングス緊締部６の間に位置するように略平行に３本形成されており、一番下に位置する内側広筋緊締部７は、膝関節緊締部３の上部に接続されている。内側広筋５４は膝を伸ばす筋肉である。内側広筋緊締部により内側広筋に適度な刺激を与えることができるので、筋出力が高まり、膝関節を支える力を増すことができる。
【００７７】
また、膝裏には太い血管が通っているので締め付けで血流を阻害しないために、膝裏には各緊締部を設けないことが望ましい。膝裏に緊締部を設けないことで関節の屈伸を阻害することを防ぐことができる。
【００７８】
（スパッツ１００の効果）
図５は、スパッツ１００を装着することよる効果について説明するための図である。図５の（ａ）はスパッツ１００を装着することにより脚に係る力を示し、図５の（ｂ）および図５の（ｃ）はスパッツ１００を装着することよる効果を示す。
【００７９】
実施形態１に係るスパッツ１００は、（１）膝関節を支える筋肉をサポートする緊締部（縫工筋緊締部４、薄筋緊締部５、およびハムストリングス緊締部６）、（２）膝を伸ばす筋肉に刺激を与える緊締部（内側広筋緊締部７）、（３）膝関節を包み込む緊締部（膝関節緊締部３）、および（４）膝関節の痛みが生じる方向へのぶれを抑える（膝を外側に広がりにくくする、内反モーメントを抑制する）緊締部（第１下腿緊締部１、第２下腿緊締部２）を備えている。
【００８０】
スパッツ１００は、膝の内側から外踝に向けて第２下腿緊締部２よりも幅の広い第１下腿緊締部１で下腿部を引っ張ることで、図５の（ａ）の矢印Ｄおよび矢印Ｅの向きに、下腿部を内旋させて膝関節の内反モーメントを抑制し、矢印Ｃの方向に膝の動揺を制動することができる。これにより、図５の（ｂ）に示すようにＯ脚を抑制することができる。
【００８１】
また、膝関節を支える筋肉に沿った各緊締部により筋肉をサポートすることで、図５の（ｃ）に示すように、膝を外側に広がり難くすることができ、膝の痛みや痛みの要因を軽減できる。
【００８２】
スパッツ１００は、上記の構造により、痛みや不快の原因となる膝関節への矯正的な押圧や下腿部への不要な緊締力が生じないため、過剰な着圧および締め付けをしないで、膝の動揺を抑えることができる。すなわち、スパッツ１００は、過剰な着圧および締め付けをしないで、膝が外旋することを制動することができる。
【００８３】
さらに、本体部１０１と各緊締部は、同じ材料および同じ色で形成されている。そのため、例えば、スパッツ１００を黒色で形成した場合、通常時に身に付けるスパッツまたはレギンス等とほぼ同じ外観となり、外観上、特別な機能があるとは気付かれない。したがって、使用者は特殊な格好や対策を講じることなく、日常身に付けるスパッツと同様にスパッツ１００を装着するだけで、膝の動揺を抑え、膝の痛みを軽減させることができる。言い換えると、使用者は、通常の服装で、特に負担を感じる階段の昇り降り時などの痛みを緩和し、膝の痛みやその不安を感じることなく旅行や外出を楽しむことができる。
【００８４】
また、スパッツ１００は、膝関節の外側への動揺（ラテラルスラスト）を抑えることができるので、スポーツシーン等での膝をサポートする手段としても用いることができる。
【実施例】
【００８５】
以下、本発明の一実施例について、図６〜図９に基づいて説明すれば以下のとおりである。本実施例では、バイコン（３Ｄ計測）を使用し、膝関節の動揺を計測し、本願発明のＯ脚変形の軽減効果の有無を検証した。
【００８６】
本実施例では、裸足、膝関節を覆う筒状の製品α、およびノーマルスパッツをスパッツ１００の比較対象とした。製品αは膝のみを覆う筒状の本体部に、膝のお皿を持ち上げるようにサポートするＵ字型のテーピング編が施されている。ノーマルスパッツは、第１下腿緊締部１およびその他の緊締部を備えていないスパッツである。
【００８７】
〔試験方法〕
（１）被験者である高齢女性８名に、各比較例を装着した状態（裸足はなにも装着していない状態）でマーカーをつけた。図６は、実施例の試験の測定箇所を説明するための図である。図６の（ａ）は測定箇所を示す背面図であり、図６の（ｂ）は測定箇所を示す右側面図であり、図６の（ｃ）は測定箇所を示す正面図である。マーカー位置は、図６の（ａ）〜図６の（ｃ）に示すように、plug-in-gait lower body Ai方法を用い、骨盤部(上前腸骨棘、上後腸骨棘)、脚部(膝関節外側、大転子と上前腸骨棘の直線上かつ大転子から１／３上方の地点および膝関節外側との直線上、膝関節外側と外果の直線上)、足部(外果、踵骨、第２中足骨骨頭)の計１６箇所とした。以上のマーカー位置より、骨盤、右大腿、左大腿、右下腿、左下腿、右足部、左足部を１平面以上の立体とし、面同士のオイラーアングルを算出して膝関節の内外旋角度と内反モーメントを同定した。動作分析は全てサンプリング周波数１２０Ｈｚで計測した。
（２）１０ｍ歩行を各条件で６トライラル実施した。
【００８８】
〔試験結果〕
試験結果を図７〜図９に基づき説明する。図７の（ａ）は実施例の内外旋角度の試験結果を示すグラフであり、図７の（ｂ）は実施例の内外旋角度の試験結果を示す表である。図８の（ａ）は実施例の内反モーメントの試験結果を示すグラフであり、図８の（ｂ）は実施例の内反モーメントの試験結果を示す表である。図９は、内外旋角度を説明するための図である。
【００８９】
図７の（ａ）の縦軸は、内外旋角度を示している。図８の（ａ）の縦軸は、モーメントの大きさを示している。図７の（ａ）および図８の（ａ）のＳＤ（Standard Deviation）は標準偏差であり、ＳＥ（Standard Error）は標準誤差である。
【００９０】
内外旋角度とは、膝が内側もしくは外側に動揺する回旋角度であり、数値が低いとより直立している状態に近い。具体的には、例えば、内外旋角度は、図９に示す角度θであり、踵を通り地面に垂直、且つ体の正面方向に伸びる面と地面との交線と、踵の外側の端部から足の外側（小指側）の端部とを結ぶ直線との成す角度である。図９のように、上記直線が上記交線よりも体の内側に位置する場合、角度θは内旋角度を示し、上記直線が上記交線よりも体の外側に位置する場合、角度θは外旋角度を示す。図７で示す内外旋角度は、内旋角度および外旋角度ともに正としている。内旋角度が大きくなるとＸ脚を助長し、外旋角度が大きくなるとＯ脚を助長する。
【００９１】
図７に示すように、スパッツ１００を装着すると、他の比較例と比較して内外旋角度が小さくなった。これは、スパッツ１００の装着により、下腿部の内旋および外旋にこだわらず、下腿部の回旋を抑えられたことを示している。言い換えると、スパッツ１００が膝の動揺を制動したことを示している。日本人は、Ｏ脚が大多数であることを考慮すると、スパッツ１００の下腿部を内旋方向に制動する機能により、内外旋角度が抑えられたと考えられる。また、特にスパッツ１００を装着した場合と裸足であった場合との平均値を比較すると、内外旋角度は約３０％小さくなった。これは、スパッツ１００の装着により、下腿部の回旋を約３０％抑えたことを示している。
【００９２】
図８に示すように、スパッツ１００を装着すると、他の比較例と比較して内反モーメントが小さくなった。これは、スパッツ１００の装着が、膝が外側に向くのを抑えたことを示している。また、特にスパッツ１００を装着した場合と裸足であった場合との平均値を比較すると、内反モーメントは約３５％小さくなった。これは、スパッツ１００の装着により、膝が外側に広がる力が約３５％抑えられたことを示している。
【００９３】
以上の結果により、内反モーメントと内外旋角度には相関があり、回旋を制動すると内反モーメントが抑制できることがわかった。
【００９４】
このように、本実施例において、内反モーメントを抑制するスパッツ１００の効果が認められた。すなわち、スパッツ１００により下腿部を内旋させることで、内反モーメントを抑制できるので、膝が外旋することを制動する、すなわち、膝関節の動揺を制動することができる。
【００９５】
〔補足〕
なお、参考のために、本発明に係るスパッツ１００の外観を図１０の（ａ）〜図１０の（ｅ）および図１１の（ａ）〜図１１の（ｅ）に示す。図１０の（ａ）〜図１０の（ｅ）は、本発明に係るスパッツの外観を示す図面である。特に、図１０の（ａ）は、スパッツ１００の平面図であり、図１０の（ｂ）は、スパッツ１００の正面図であり、図１０の（ｃ）は、スパッツ１００の外側（左側）の側面図であり、図１０の（ｄ）は、スパッツ１００の背面図であり、図１０の（ｅ）は、スパッツ１００の底面図である。図１１の（ａ）〜図１１の（ｅ）は、本発明に係るスパッツ１００の外観を示す図面代用写真である。特に、図１１の（ａ）は、上記スパッツの平面を示す図面代用写真であり、図１１の（ｂ）は、上記スパッツの正面を示す図面代用写真であり、図１１の（ｃ）は、上記スパッツの背面を示す図面代用写真であり、図１１の（ｄ）は、上記スパッツの外側（左側）側面を示す図面代用写真であり、図１１の（ｅ）は、上記スパッツの底面を示す図面代用写真である。図１１の（ａ）および図１１の（ｅ）におけるドットで示された部分は、物品の形状を整えるための詰物を示す。なお、スパッツ１００の左側面と右側面とは対称であるため、右側面を示す図面代用写真の図示を省略している。また、図１１では、緊締部１０２の図示を省略している。
【００９６】
図１１の図面代用写真は、理解を容易にするため、本体部１０１を黒色とし各緊締部を灰色として図示しているが、上記に限らない。本体部１０１および各緊締部を同色としてもよく、異なる色としてもよい。例えば、各緊締部を度目調整により形成し、本体部１０１と各緊締部とを同色とする場合、本体部１０１と各緊締部との色の差はほとんどなく、濃淡により区別できる程度となる。具体的には、本体部１０１が濃い黒色で各緊締部が薄い黒色である場合や、各緊締部が濃い黒色で本体部１０１が薄い黒色である場合がある。
【００９７】
また、普段からとても膝に痛みのある５０代以上の女性６名に、図１０に示す構成のスパッツ１００を穿かせて着用時の効果に関するアンケートを実施した。アンケートの結果、６名中４名から、膝の痛みの軽減を実感できたとの回答を得た。具体的には、（１）膝の痛みが全くなくなった。（２）素材および膝の安定感がよく、履いているとひざの痛みを気にせず動けた。（３）足全体がしまった感じがして、気持ちがよい。階段の昇り降りもスムーズに行えた。（４）膝がサポートされていて、痛みを気にせず歩けた。穿かないと痛みが出たので、効果を感じた、等の回答を得ることができた。
【００９８】
（実施形態２）
膝が内側に向かおうとする外反モーメントが大きくなると、Ｘ脚変形が生じる。Ｘ脚変形の状態では、股関節３０が、膝関節３１および足関節３２を結ぶ直線より外側に位置する（図４の（ａ）参照、図示なし）。そのため、膝関節３１および足関節３２の外側に体重が加重されるため、膝関節３１に膝が内側に向かおうとする回転力、すなわち外反モーメントがかかる。したがって、Ｘ脚変形を軽減するためには、下腿部を外旋させることにより、外反モーメントを抑制することが有効である。
【００９９】
本実施形態では、下腿部を外旋させることにより、外反モーメントを抑制することができるスパッツ１００ａについて説明する。スパッツ１００ａは、図１および図２に示すスパッツ１００に比べて、緊締部１０に代えて、緊締部１０ａが設けられる点が異なり、その他の構成は同様である。言い換えると、スパッツ１００ａは、図２に示すスパッツ１００において、緊締部１０に代えて、緊締部１０ａが設けられたものである。
【０１００】
（緊締部１０ａ）
図１２は、実施形態２に係るスパッツの左足緊締部１０ａのみを取り出した場合の正面図である。
【０１０１】
緊締部１０ａは、図１に示す緊締部１０に比べて、第１下腿緊締部１および第２下腿緊締部２に代えて、第１下腿緊締部１ａおよび第２下腿緊締部２ａが設けられる点が異なり、その他の構成は同様である。
【０１０２】
（第１下腿緊締部１ａ）
第１下腿緊締部１ａは帯状であり、腓骨上端の外側側面より、脛骨のおよび腓骨の前面、脛骨および腓骨の後面を順に通り、腓骨下端の外側側面に至るように形成されている。これにより、下腿部が外旋するように、膝の外側から内側に向けて下腿部が第１下腿緊締部に引っ張られる。そのため、膝関節の外反モーメントを抑え、膝の動揺を制動することができる。その結果、過剰な着圧、締め付をしないで、膝が外旋するのを制動するこができることができる。
【０１０３】
（第２下腿緊締部２ａ）
第２下腿緊締部２ａは帯状であり、脛骨上端の内側側面より、脛骨および腓骨の前面、脛骨および腓骨の後面を順に通り、脛骨下端の内側側面に至るように形成されている。また、第１下腿緊締部１ａの緊締力は、第２下腿緊締部２ａの緊締力よりも強い。そのため、第２下腿緊締部２ａが、第１下腿緊締部１ａよりも弱い力で下腿部を内旋方向に誘導するので、第１下腿緊締部１ａが下腿部を外旋し過ぎるのを抑制することができる。
【０１０４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【０１０５】
１、１ａ  第１下腿緊締部
２、２ａ  第２下腿緊締部
３  膝関節緊締部
４  縫工筋緊締部
５  薄筋緊締部
６  ハムストリングス緊締部
７  内側広筋緊締部
１００、１００ａ  スパッツ（レッグウェア）
１０１  本体部（基材層）
【図１】
0006543186.tif 000002
【図２】
0006543186.tif 000003
【図３】
0006543186.tif 000004
【図４】
0006543186.tif 000005
【図５】
0006543186.tif 000006
【図６】
0006543186.tif 000007
【図７】
0006543186.tif 000008
【図８】
0006543186.tif 000009
【図９】
0006543186.tif 000010
【図１０】
0006543186.tif 000011
【図１１】
0006543186.tif 000012
【図１２】
0006543186.tif 000013
【図１３】
0006543186.tif 000014